(57)【要約】【課題】ジャンプ機能における操作手順を簡易化するとともに、ジャンプ可能な辞書を容易に知ることができるようにすること。【解決手段】ジャンプキーを操作してジャンプ機能を起動すると、検索対象文字を指定するためのカーソル１５０及びジャンプ先候補辞書一覧１７０が表示される。ジャンプ先候補辞書一覧１７０には、辞書キー６ａ〜６ｅの操作によってジャンプ可能な辞書の種類が一覧表示されている。更に、決定キーの操作によってジャンプ可能辞書（同図では、「国語辞書」）については、網掛け表示されている。【選択図】      図２
2004295626.tif 000002
【特許請求の範囲】
【請求項１】
見出語と該見出語の説明情報とが対応付けられた情報を集合した集合情報を複数種類記憶した記憶手段と、
前記複数種類の集合情報の中から一の集合情報を指定する集合情報指定手段と、
この集合情報指定手段により指定された集合情報の見出語の内、所望の見出語及び当該見出語に対応する説明情報を含む情報を表示する制御を行う第１の情報表示制御手段と、
この第１の情報表示制御手段により表示制御された情報の内から検索対象文字を指定する文字指定手段と、
この文字指定手段により指定された検索対象文字の文字種別に応じて、検索先とする集合情報を前記複数種類の集合情報の中から択一的に仮設定する仮設定手段と、
所定のワンタッチ操作入力があった場合に、前記文字指定手段により指定された検索対象文字に適合する見出語及び当該見出語に対応する説明情報を、前記仮設定手段により仮設定された集合情報の中から読み出して表示する制御を行う第２の情報表示制御手段と、を備えることを特徴とする情報表示制御装置。
【請求項２】
前記仮設定手段は、前記第１の情報表示制御手段が表示制御した情報の内、当該情報に含まれる見出語が前記文字指定手段によって指定された場合、検索先とする集合情報を前記集合情報指定手段により指定された集合情報以外の集合情報から仮設定する再検索時仮設定手段を有することを特徴とする請求項１に記載の情報表示制御装置。
【請求項３】
前記複数種類の集合情報それぞれに対応し、それぞれの集合情報を指定するための複数の種類指定キーと、
前記複数の種類指定キーの配置位置関係に則して前記複数種類の集合情報それぞれの識別情報を配列した案内表示を表示する制御を行う案内表示制御手段と、を更に備えることを特徴とする請求項１又は２に記載の情報表示制御装置。
【請求項４】
前記複数種類の集合情報のうち、前記文字指定手段により指定された検索対象文字の文字種別に適合する文字種別の見出語を含む集合情報の種類を検索先候補とし、前記案内表示を構成する識別情報の内、前記検索先候補とした集合情報の識別情報を他と異なる表示形態で表示する検索先候補特別表示手段を更に備えることを特徴とする請求項３に記載の情報表示制御装置。
【請求項５】
前記案内表示を構成する識別情報の内、前記仮設定された集合情報の識別情報を他と異なる表示形態で表示する仮設定集合情報特別表示手段を更に備えることを特徴とする請求項３又は４に記載の情報表示制御装置。
【請求項６】
前記仮設定手段は、前記文字指定手段により指定された検索対象文字の文字種別、及び、前記第２の表示制御手段が前回情報を表示制御した際に仮設定した集合情報の種類に応じて、検索先とする集合情報を前記複数種類の集合情報の中から択一的に仮設定する前回参酌手段を有することを特徴とする請求項１〜５の何れか一項に記載の情報表示制御装置。
【請求項７】
所定の通信回線を介して利用者端末と接続されるサーバにおいて、
見出語と該見出語の説明情報とが対応付けられた情報を集合した集合情報を複数種類記憶した記憶手段と、
前記利用者端末から検索対象文字を指定する検索対象文字指定情報を受信する受信手段と、
この受信手段により受信された検索対象文字指定情報により指定された検索対象文字の文字種別に応じて、検索先とする集合情報を前記複数種類の集合情報の中から択一的に仮設定する仮設定手段と、
前記利用者端末から所定の仮設定先検索実行情報を受信する仮設定先検索実行情報受信手段と、
この仮設定先検索実行情報受信手段により仮設定先検索実行情報が受信された場合に、前記受信された検索対象文字指定情報により指定された検索対象文字に適合する見出語及び当該見出語に対応する説明情報を、前記仮設定手段により仮設定された集合情報の中から読み出して前記利用者端末に送信する説明情報送信手段と、を備えることを特徴とするサーバ。
【請求項８】
コンピュータに、
見出語と該見出語の説明情報とが対応付けられた情報を集合した集合情報を複数種類記憶した記憶機能と、
前記複数種類の集合情報の中から一の集合情報を指定する集合情報指定機能と、
この集合情報指定機能により指定された集合情報の見出語の内、所望の見出語及び当該見出語に対応する説明情報を含む情報を表示する制御を行う第１の情報表示制御機能と、
この第１の情報表示制御機能により表示制御された情報の内から検索対象文字を指定する文字指定機能と、
この文字指定機能により指定された検索対象文字の文字種別に応じて、検索先とする集合情報を前記複数種類の集合情報の中から択一的に仮設定する仮設定機能と、
所定のワンタッチ操作入力があった場合に、前記文字指定機能により指定された検索対象文字に適合する見出語及び当該見出語に対応する説明情報を、前記仮設定機能により仮設定された集合情報の中から読み出して表示する制御を行う第２の情報表示制御機能と、を実現させるためのプログラム。
【請求項９】
所定の通信回線を介して利用者端末と接続されるコンピュータに、
見出語と該見出語の説明情報とが対応付けられた情報を集合した集合情報を複数種類記憶した記憶機能と、
前記利用者端末から検索対象文字を指定する検索対象文字指定情報を受信する受信機能と、
この受信機能により受信された検索対象文字指定情報により指定された検索対象文字の文字種別に応じて、検索先とする集合情報を前記複数種類の集合情報の中から択一的に仮設定する仮設定機能と、
前記利用者端末から所定の仮設定先検索実行情報を受信する仮設定先検索実行情報受信機能と、
この仮設定先検索実行情報受信機能により仮設定先検索実行情報が受信された場合に、前記受信された検索対象文字指定情報により指定された検索対象文字に適合する見出語及び当該見出語に対応する説明情報を、前記仮設定機能により仮設定された集合情報の中から読み出して前記利用者端末に送信する説明情報送信機能と、を実現させるためのプログラム。
【発明の詳細な説明】
【０００１】
【発明の属する技術分野】
本発明は、情報表示制御装置、サーバ及びプログラムに関する。
【０００２】
【従来の技術】
従来から、国語辞書や英和辞書、和英辞書等の様々な種類の辞書データベースを内蔵した、電子辞書と呼ばれる情報表示制御装置が知られている。辞書データベースは、見出語と、該見出語を説明・解説する説明情報とを対応付けた辞書データを多数記憶している。ユーザは、辞書の種類を指定して入力文字を入力することで、この入力文字に適合する見出語に対応する説明情報を表示させることができる。
【０００３】
また、電子辞書には、ユーザが所望する情報を効率良く検索可能とするため、例えばジャンプ機能といった様々な機能を備えたものもある。このジャンプ機能とは、検索語に合致する見出語に対応する説明情報を表示した後、該説明情報中の語句が指定されて所定の指示入力が行われると、この指定された語句に合致する見出語を再度検索し、該見出語に対応する説明情報を表示する機能である。
【０００４】
また、複数の辞書間でジャンプを行う場合、再検索の対象となる辞書（即ち、ジャンプ先の辞書）は、次のように指定することができる。（ａ）ジャンプの度に、ユーザが所望の辞書を指定する、或いは、（ｂ）ジャンプ先の辞書を予め設定しておき、常に同一の辞書にジャンプする（例えば、特許文献１参照）といった方法である。
【０００５】
【特許文献１】
特開２００１−１３４５８５号公報
【０００６】
【発明が解決しようとする課題】
しかしながら、特許文献１に記載のジャンプ機能では、次のような問題があった。即ち、（ａ）ジャンプ先の辞書をその都度選択する方法では、▲１▼ジャンプキーを操作し、▲２▼表示されたカーソルを、説明情報中の再検索したい文字の位置まで移動させ、▲３▼訳キーを操作し、▲４▼表示されたジャンプ可能な辞書のリストの内から所望の辞書を選択し、▲５▼再度訳キーを操作する、といった手順を経て、選択したジャンプ先辞書へのジャンプが実行される。従って、ジャンプ機能を利用する都度、この一連の手順を行ってジャンプ先の辞書を指定する必要があるため、頻繁にジャンプ機能を利用する場合や、同一辞書にジャンプする場合には非常に煩わしいことであった。
【０００７】
更に、この方法では、ユーザは、再検索したい文字を確定して訳キーを操作するまで、ジャンプ可能な辞書を知ることができない。即ち、再検索したい文字を確定した後に表示されるジャンプ可能な辞書のリストの中にジャンプしたい辞書が含まれていない場合や、ジャンプの実行を取りやめたい場合は、例えば戻るキー等を操作して再検索したい文字の確定を取り消す必要があり、これも不便なことであった。
【０００８】
また、（ｂ）ジャンプ先の辞書を予め設定しておく方法は、常に同一辞書にジャンプする際には便利な方法であるが、他の辞書にジャンプしたい場合には、結局、上述の一連の手順をその都度行ってジャンプ先を指定する必要があり、これも面倒なことであった。
【０００９】
上記問題に鑑み、本発明は、ジャンプ機能における操作手順を簡易化するとともに、ジャンプ可能な辞書を容易に知ることができるようにすることを目的としている。
【００１０】
【課題を解決するための手段】
上記課題を解決するために、請求項１記載の発明は、
見出語と該見出語の説明情報とが対応付けられた情報を集合した集合情報（たとえば、実施の形態における辞書ＤＢ）を複数種類記憶した記憶手段（例えば、図３のＲＯＭ４０）と、
前記複数種類の集合情報の中から一の集合情報を指定する集合情報指定手段（例えば、図１の辞書キー６、図３の入力部２０；図１３のステップＳ１２）と、この集合情報指定手段により指定された集合情報の見出語の内、所望の見出語及び当該見出語に対応する説明情報を含む情報を表示する制御を行う第１の情報表示制御手段（例えば、図３のＣＰＵ１０；図１３のステップＳ１３）と、
この第１の情報表示制御手段により表示制御された情報の内から検索対象文字を指定する文字指定手段（例えば、図２のカーソル１５０、図３の入力部２０；図１３のステップＳ１６、図１４のステップＳ２４：ＹＥＳ〜Ｓ２５）と、
この文字指定手段により指定された検索対象文字の文字種別に応じて、検索先とする集合情報を前記複数種類の集合情報の中から択一的に仮設定する仮設定手段（例えば、図３のＣＰＵ１０；図１３のステップＳ１９、Ｓ２１、Ｓ２２）と、
所定のワンタッチ操作入力があった場合に、前記文字指定手段により指定された検索対象文字に適合する見出語及び当該見出語に対応する説明情報を、前記仮設定手段により仮設定された集合情報の中から読み出して表示する制御を行う第２の情報表示制御手段（例えば、図３のＣＰＵ１０；図１４のステップＳ２８、Ｓ３１）と、を備えることを特徴とする情報表示制御装置である。
【００１１】
また、請求項８に記載の発明は、
コンピュータに、
見出語と該見出語の説明情報とが対応付けられた情報を集合した集合情報（例えば、実施の形態における辞書ＤＢ）を複数種類記憶した記憶機能と、
前記複数種類の集合情報の中から一の集合情報を指定する集合情報指定機能（例えば、図１３のステップＳ１２）と、
この集合情報指定機能により指定された集合情報の見出語の内、所望の見出語及び当該見出語に対応する説明情報を含む情報を表示する制御を行う第１の情報表示制御機能（例えば、図１３のステップＳ１３）と、
この第１の情報表示制御機能により表示制御された情報の内から検索対象文字を指定する文字指定機能（例えば、図１３のステップＳ１５、図１４のステップＳ２４：ＹＥＳ〜Ｓ２５）と、
この文字指定機能により指定された検索対象文字の文字種別に応じて、検索先とする集合情報を前記複数種類の集合情報の中から択一的に仮設定する仮設定機能（例えば、図１３のステップＳ１９、Ｓ２１、Ｓ２２）と、
所定のワンタッチ操作入力があった場合に、前記文字指定機能により指定された検索対象文字に適合する見出語及び当該見出語に対応する説明情報を、前記仮設定機能により仮設定された集合情報の中から読み出して表示する制御を行う第２の情報表示制御機能（例えば、図１４のステップＳ２８、Ｓ３１）と、を実現させるためのプログラムである。
【００１２】
この請求項１又は８に記載の発明によれば、指定された集合情報の見出語の内、所望の見出語及びこの見出語に対応する説明情報を含む情報を表示制御するとともに、この表示制御した情報の内から指定された検索対象文字の文字種別に応じて、検索先とする集合情報の種類を、複数の集合情報の中から択一的に選択して仮設定することができる。そして、所定のワンタッチ操作があった場合には、検索対象文字に適合する見出語及びこの見出語に対応する説明情報を、仮設定した集合情報の中から読み出して表示制御することができる。
【００１３】
即ち、ユーザにとってみれば、表示させた情報の中から検索対象文字を指定し、所定のワンタッチ操作を行うことのみで、当該検索対象文字の文字種別に応じて自動的に仮設定された検索先の集合情報における検索が実行される。従って、ジャンプ機能の実行における操作手順が簡略化され、操作に伴う煩わしさが解消された情報表示制御装置を実現できる。
【００１４】
また、請求項２に記載の発明のように、請求項１に記載情報表示制御装置において、
前記仮設定手段は、前記第１の情報表示制御手段が表示制御した情報の内、当該情報に含まれる見出語が前記文字指定手段によって指定された場合、検索先とする集合情報を前記集合情報指定手段により指定された集合情報以外の集合情報から仮設定する再検索時仮設定手段（例えば、図３のＣＰＵ１０；図１３のステップＳ２０：ＹＥＳ〜Ｓ２１）を有することとしても良い。
【００１５】
この請求項２に記載の発明によれば、請求項１に記載の発明と同様の効果を奏するとともに、表示された情報の中から検索対象文字として指定された文字が、該情報に含まれる見出語であった場合、検索先とする集合情報を、指定された集合情報以外の集合情報から仮設定することができる。従って、情報中に含まれる見出語を検索対象とした場合、指定された集合情報、即ち、当該見出語について既に検索された集合情報において再度検索を行うといった不都合を解消することができる。
【００１６】
また、請求項３に記載の発明のように、請求項１又は２に記載の情報表示制御装置において、
前記複数種類の集合情報それぞれに対応し、それぞれの集合情報を指定するための複数の種類指定キー（例えば、図１の辞書キー６）と、
前記複数の種類指定キーの配置位置関係に則して前記複数種類の集合情報それぞれの識別情報を配列した案内表示を表示する制御を行う案内表示制御手段（例えば、３のＣＰＵ１０；図１４のステップＳ２３）と、を更に備えることとしても良い。
【００１７】
この請求項３に記載の発明によれば、請求項１又は２に記載の発明と同様の効果を奏するとともに、集合情報を指定するための複数の種類指定キーの配置位置に則して集合情報それぞれの識別情報を配列した案内表示を表示制御することができる。従って、ユーザにとっては、案内表示を見ることで、所望の集合情報の種類を指定するための種類指定キーを容易に見付け出して操作することが可能となる。
【００１８】
また、請求項４記載の発明のように、請求項３に記載の情報表示制御装置において、
前記複数種類の集合情報のうち、前記文字指定手段により指定された検索対象文字の文字種別に適合する文字種別の見出語を含む集合情報の種類を検索先候補とし、前記案内表示を構成する識別情報の内、前記検索先候補とした集合情報の識別情報を他と異なる表示形態で表示する検索先候補特別表示手段（例えば、図３のＣＰＵ１０；図１４のステップＳ２３）を更に備えることとしても良い。
【００１９】
この請求項４に記載の発明によれば、請求項３に記載の発明と同様の効果を奏するとともに、検索対象文字の文字種別に適合する文字種別の見出語を含む集合情報の種類を検索先候補とし、この検索先候補とした集合情報の識別情報を他と異なる表示形態で表示することができる。従って、ユーザは、案内表示の各識別情報の表示形態を見ることで、検索先候補である集合情報の種類を容易に知ることができる。
【００２０】
また、請求項５に記載の発明のように、請求項３又は４に記載の情報表示制御装置において、
前記案内表示を構成する識別情報の内、前記仮設定された集合情報の識別情報を他と異なる表示形態で表示する仮設定集合情報特別表示手段（例えば、図３のＣＰＵ１０；図１４のステップＳ２３）を更に備えることとしても良い。
【００２１】
この請求項５に記載の発明によれば、請求項３又は４に記載の発明と同様の効果を奏するとともに、仮設定された集合情報の識別情報を他と異なる表示形態で表示することができる。従って、ユーザは、案内情報の各識別情報の表示形態を見ることで、仮設定された集合情報の種類を容易に知ることができる。
【００２２】
また、請求項６に記載の発明のように、請求項１〜５の何れか一項に記載の情報表示制御装置において、
前記仮設定手段は、前記文字指定手段により指定された検索対象文字の文字種別、及び、前記第２の表示制御手段が前回情報を表示制御した際に仮設定した集合情報の種類に応じて、検索先とする集合情報を前記複数種類の集合情報の中から択一的に仮設定する前回参酌手段（例えば、図３のＣＰＵ１０；図１３のステップＳ１８：ＹＥＳ〜Ｓ２９）を有することとしても良い。
【００２３】
この請求項６に記載の発明によれば、請求項１〜５の何れか一項に記載の発明と同様の効果を奏するとともに、検索対象文字の文字種別、及び、前回情報を表示制御した際に仮設定した集合情報の種類に応じて、検索先とする集合情報を択一的に選択・仮設定することができる。
【００２４】
請求項７に記載の発明は、
所定の通信回線を介して利用者端末と接続されるサーバにおいて、
見出語と該見出語の説明情報とが対応付けられた情報を集合した集合情報を複数種類記憶した記憶手段（例えば、図２１の記憶部２０６０）と、
前記利用者端末から検索対象文字を指定する検索対象文字指定情報を受信する受信手段（例えば、図２１の通信部２０７０）と、
この受信手段により受信された検索対象文字指定情報により指定された検索対象文字の文字種別に応じて、検索先とする集合情報を前記複数種類の集合情報の中から択一的に仮設定する仮設定手段（例えば、図２１のＣＰＵ２０１０）と、前記利用者端末から所定の仮設定先検索実行情報を受信する仮設定先検索実行情報受信手段（例えば、図２１の通信部２０７０）と、
この仮設定先検索実行情報受信手段により仮設定先検索実行情報が受信された場合に、前記受信された検索対象文字指定情報により指定された検索対象文字に適合する見出語及び当該見出語に対応する説明情報を、前記仮設定手段により仮設定された集合情報の中から読み出して前記利用者端末に送信する説明情報送信手段（例えば、図２１のＣＰＵ２０１０及び通信部２０７０）と、を備えることを特徴とするサーバである。
【００２５】
また、請求項９に記載の発明は、
所定の通信回線を介して利用者端末と接続されるコンピュータに、
見出語と該見出語の説明情報とが対応付けられた情報を集合した集合情報を複数種類記憶した記憶機能と、
前記利用者端末から検索対象文字を指定する検索対象文字指定情報を受信する受信機能と、
この受信機能により受信された検索対象文字指定情報により指定された検索対象文字の文字種別に応じて、検索先とする集合情報を前記複数種類の集合情報の中から択一的に仮設定する仮設定機能と、
前記利用者端末から所定の仮設定先検索実行情報を受信する仮設定先検索実行情報受信機能と、
この仮設定先検索実行情報受信機能により仮設定先検索実行情報が受信された場合に、前記受信された検索対象文字指定情報により指定された検索対象文字に適合する見出語及び当該見出語に対応する説明情報を、前記仮設定機能により仮設定された集合情報の中から読み出して前記利用者端末に送信する説明情報送信機能と、を実現させるためのプログラムである。
【００２６】
この請求項７又は９に記載の発明によれば、利用者端末から受信した検索対象文字指定情報により指定された検索対象文字の文字種別に応じて、検索先とする集合情報の種類を、複数の集合情報の中から択一的に選択して仮設定することができる。そして、利用者端末より仮設定先検索実行情報を受信した場合には、検索対象文字に適合する見出語及びこの見出語に対応する説明情報を、仮設定した集合情報の中から読み出して利用者端末に送信することができる。
【００２７】
即ち、利用者端末のユーザにとってみれば、検索対象文字を指定し、仮設定先検索の実行を指示することで、当該検索対象文字の文字種別に応じて自動的に仮設定された検索先の集合情報における検索が実行されて、検索対象文字に適合する見出語及びこの見出語に対応する説明情報を、サーバから受信することができる。従って、ジャンプ機能の実行における操作手順が簡略化され、操作に伴う煩わしさが解消された利用者端末を実現できる。
【００２８】
【発明の実施の形態】
以下、図面を参照して、本発明の実施の形態を詳細に説明する。尚、以下においては、本発明に係る情報表示制御装置を折り畳み式の携帯型電子辞書に適用した場合について説明するが、本発明の適用がこれに限定されるものではない。
【００２９】
本実施の形態において、携帯型電子辞書には、国語辞書や英和辞書、和英辞書、百科事典等の各種辞書の辞書データベース（以下、適宜「辞書ＤＢ」と称する。）が内蔵されている。辞書ＤＢとは、見出語と、当該見出語を説明・解説するためのテキスト（文字）データやテーブル（表）データ、静止画像データ、動画データ、音声データ等の説明情報と、が対応付けられた情報を集合した集合情報を、コンピュータを用いて検索処理可能なように体系的に構成したものである。
ユーザは、辞書の種類を指定して見出語を選択することにより、当該見出語の説明情報を表示させることができる。
【００３０】
また、ユーザは、ジャンプ機能を利用して、見出語の説明情報に含まれる文字に適合する説明情報を、更に表示させることができる。ここで、ジャンプ機能とは、見出語に対する説明情報を表示させた後、その説明情報中の一部の文字列を指定すると、当該指定した文字列を検索語として再度検索が実行される機能のことである。
【００３１】
［外観］
図１（ａ）は、本発明を適用した携帯型電子辞書１の外観斜視図を示す図である。同図によれば、携帯型電子辞書１は、見出語や説明情報等を表示するためのディスプレイ３、入力文字や検索実行指示等を入力するための各種キー群５を備えて構成される。
【００３２】
各種キー群５を構成する各キーには、それぞれ固有の機能が割り当てられており、ユーザは、これらのキーを押下して携帯型電子辞書１を操作する。具体的には、同図（ｂ）に示すように、各種キー群５には、文字を入力するための文字キー５ａ、後述するカーソルを移動させるため等のカーソルキー５ｂ、各種決定指示のための決定キー５ｃ、ジャンプ機能を起動するためのジャンプキー５ｄ、シフトキー５ｅ、携帯型電子辞書の電源ＯＮ／ＯＦＦのための電源キー５ｆ、辞書の種類を指定するための辞書キー６、等が含まれる。
【００３３】
また、辞書キー６は、それぞれに異なる辞書の種類が割り当てられた５つの辞書キー６ａ〜６ｅを有して構成されている。ユーザは、各辞書キー６ａ〜６ｅを操作することで、図中、当該辞書キー６ａ〜６ｅに示されている辞書を指定することができるとともに、また、シフトキー５ｅに続けて各辞書キー６ａ〜６ｅを操作することで、図中、当該辞書キー６ａ〜６ｅの上部に示されている辞書の種類を指定することができる。
【００３４】
具体的には、辞書キー６ａを操作することで国語辞書を、辞書キー６ｂを操作することで百科事典を、辞書キー６ｃを操作することで第１英和辞書を、辞書キー６ｄを操作することで第２英和辞書を、辞書キー６ｅを操作することでカタカナ語辞書を、それぞれ指定することができる。
【００３５】
また、シフトキー５ｅを操作した後、続けて辞書キー６ａを操作することで漢和辞書を、続けて辞書キー６ｂを操作することで英語類語辞書を、辞書キー６ｃを操作することで和英辞書を、辞書キー６ｄを操作することで英英辞書を、辞書キー６ｅによってＩＴ用語事典を、それぞれ指定することができる。
【００３６】
このように、ユーザは、辞書キー６ａ〜６ｅ及びシフトキー５ｅを用いることで、電子辞書が内蔵する１０種類の辞書の内から所望の辞書を指定することができる。
【００３７】
また、本実施の形態では、見出語に対応する説明情報を表示させた後、ジャンプキー５ｄを操作してジャンプ機能を起動させると、ディスプレイ３には、例えば図２に示す表示画面が表示される。
【００３８】
図２は、ジャンプ機能が起動された際の表示画面の一例を示す図である。同図によれば、表示画面には、ユーザによって選択された見出語１１０、見出語１１０に対応する説明情報１３０、が表示される。また、表示文字上には、カーソルキー５ｂの操作によってその表示位置が移動可能なカーソル１５０が表示されるとともに、画面下部には、ジャンプ先候補辞書一覧１７０が表示される。
【００３９】
ジャンプ先候補辞書一覧１７０は、３行の表形式で表示される。そして、この表形式の１行目には、決定キー５ｃ或いは辞書キー６の操作によって所定の辞書にジャンプ可能であることをユーザに知らせる旨のコメントが表示される。
【００４０】
また、２行目及び３行目には、辞書キー６の操作によってジャンプ可能な辞書（以下、適宜「ジャンプ先候補辞書」と称する。）の識別情報として、当該辞書の種類が、辞書キー６の配置位置に則した配列で表示される。即ち、３行目には、辞書キー６ａ〜６ｅそれぞれを操作した場合に指定される辞書の種類が表示される。具体的には、図中左より、「国語辞書」、「百科事典」、「第１英和辞書」、「第２英和辞書」、そして「カタカナ語辞書」の順で表示される。
【００４１】
また、２行目には、シフトキー５ｅに続けて辞書キー６ａ〜６ｅそれぞれを操作した場合に指定される辞書の種類が表示される。具体的には、図中左より、「漢和辞書」、「英語類語辞書」、「和英辞書」、「英英辞書」、そして「ＩＴ用語事典」の順で表示される。
【００４２】
更に、ジャンプ先候補辞書一覧１７０では、これらのジャンプ先候補辞書の内、決定キー５ｃの操作によってジャンプ可能な辞書として仮設定されている辞書（以下、適宜「仮設定ジャンプ先辞書」と称する。）が網掛けされて特別表示される。例えば、同図では、「国語辞書」が網掛け表示（識別表示）されている。
【００４３】
そして、この表示画面において辞書キー６を操作して辞書を指定すると、指定した辞書にジャンプして、カーソル１５０が指す文字（以下、適宜「検索対象文字」と称する。）を検索語とした検索が実行される。また、決定キー５ｃを操作すると、網掛け表示されている辞書（即ち、仮設定ジャンプ先辞書）にジャンプして、検索対象文字を検索語とした検索が実行される。
【００４４】
尚、同図においては、便宜上、全ての辞書について示されているが、実際には、ジャンプ先候補辞書のみが表示（識別表示）されるものである。また、ジャンプ先候補辞書一覧１７０における辞書の種類の表示はこれに限らない。例えば、辞書の種類を表す文字の字体（フォントやサイズ等）を変える、文字や背景に色を付ける等して、ジャンプ先候補辞書をこれ以外の辞書（ジャンプ先の候補とならない辞書）と異なる表示形態で表示することとしても良い。
【００４５】
［内部構成］
図３は、携帯型電子辞書１の内部構成の一例を示すブロック図である。同図によれば、携帯型電子辞書１は、ＣＰＵ（Ｃｅｎｔｒａｌ  Ｐｒｏｃｅｓｓｉｎｇ  Ｕｎｉｔ）１０、入力部２０、表示部３０、ＲＯＭ（Ｒｅａｄ  Ｏｎｌｙ  Ｍｅｍｏｒｙ）４０、ＲＡＭ（Ｒａｎｄｏｍ  Ａｃｃｅｓｓ  Ｍｅｍｏｒｙ）６０、を備えて構成される。
【００４６】
ＣＰＵ１０は、入力される指示に応じて所定のプログラムに基づいた所定の処理を実行し、各機能部への指示やデータの転送等を行い、携帯型電子辞書１を統括的に制御する。具体的には、ＣＰＵ１０は、入力部２０から入力されるキーの押下信号等に応じてＲＯＭ４０に格納されたプログラムを読み出し、当該プログラムに従って処理を実行する。そして、処理結果をＲＡＭ６０に保存するとともに、当該処理結果を表示するための表示信号を表示部３０に出力して、対応する表示情報を表示させる。
【００４７】
また、ＣＰＵ１０は、本実施の形態において、ＲＯＭ４０の辞書検索プログラム５４に従った辞書検索処理（図１３、図１４参照）を実行する。
【００４８】
入力部２０は、仮名やアルファベット等の文字入力や機能選択等に必要なキーを備えた入力装置で構成され、押下されたキーの押下信号等をＣＰＵ１０に出力する。この入力部２０におけるキー操作により、辞書の指定、入力文字の入力、見出語の選択、ジャンプ実行指示等の入力手段が実現される。尚、この入力部２０は、図１の各種キー群５に相当する。
【００４９】
表示部３０は、ＣＰＵ１０から入力される表示信号に基づいて各種画面を表示する表示装置で構成され、ＬＣＤ（Ｌｉｑｕｉｄ  Ｃｒｙｓｔａｌ  Ｄｉｓｐｌａｙ）やＥＬＤ（Ｅｌｅｃｔｒｏｎｉｃ  Ｌｕｍｉｎｅｓｃｅｎｔ  Ｄｉｓｐｌａｙ）等で構成される。尚、この表示部３０は、図１のディスプレイ３に相当する。
【００５０】
ＲＯＭ４０には、各種初期設定やハードウェアの検査、必要なプログラムのロード等を行うための初期プログラムが格納される。ＣＰＵ１０は、携帯型電子辞書１の電源投入時においてこの初期プログラムを実行することにより、携帯型電子辞書１の動作環境を設定する。
【００５１】
また、ＲＯＭ４０には、携帯型電子辞書１の動作に係る各種処理プログラムや携帯型電子辞書１の備える種々の機能を実現するためのプログラムやデータ等が格納される。特に、本実施の形態においては、国語辞書の辞書ＤＢである国語辞書ＤＢ４１、百科事典の辞書ＤＢである百科事典ＤＢ４２、第１英和辞書の辞書ＤＢである第１英和辞書ＤＢ４３、第２英和辞書の辞書ＤＢである第２英和辞書ＤＢ４４、漢和辞書の辞書ＤＢである漢和辞書ＤＢ４５、英語類語辞書の辞書ＤＢである英語類語辞書ＤＢ４６、和英辞書の辞書ＤＢである和英辞書ＤＢ４７、英英辞書の辞書ＤＢである英英辞書ＤＢ４８、カタカナ語辞書の辞書ＤＢであるカタカナ語辞書ＤＢ４９、ＩＴ用語事典の辞書ＤＢであるＩＴ用語事典ＤＢ５０、ジャンプ先候補辞書テーブル５１、推奨ジャンプ先辞書テーブル５２、選択見出語用辞書テーブル５３、辞書検索プログラム５４、が格納される。
【００５２】
ここで、各辞書ＤＢのデータ構成を、本実施の形態に関するデータ部分を一例にとって説明する。
図４は、国語辞書ＤＢ４１のデータ構成の一例を示す図である。同図によれば、国語辞書ＤＢ４１には、日本語であり、文字種別が“ひらがな”又は“カタカナ”である見出語（４１ａ）と、見出語（４１ａ）の意味を日本語で解説・説明した説明情報（４１ｂ）と、が対応付けて格納されている。
【００５３】
また、図５は、百科事典ＤＢ４２のデータ構成の一例を示す図である。同図によれば、百科事典ＤＢ４２には、日本語であり、文字種別が“ひらがな”又は“カタカナ”である見出語（４２ａ）と、見出語（４２ａ）の意味を日本語で解説・説明した説明情報（４２ｂ）と、が対応付けて格納されている。
【００５４】
また、図６は、第１英和辞書ＤＢ４３のデータ構成の一例を示す図である。同図によれば、第１英和辞書ＤＢ４３には、英単語である見出語（４３ａ）と、見出語（４３ａ）の日本語訳である説明情報（４３ｂ）と、が対応付けて格納されている。
【００５５】
また、図７は、第２英和辞書ＤＢ４４のデータ構成の一例を示す図である。同図によれば、第２英和辞書ＤＢ４４には、英単語である見出語（４４ａ）と、見出語（４４ａ）の日本語訳である説明情報（４４ｂ）と、が対応付けて格納されている。
【００５６】
また、図８は、和英辞書ＤＢ４７のデータ構成の一例を示す図である。同図によれば、和英辞書ＤＢ４７には、日本語であり、文字種別が“ひらがな”又は“カタカナ”である見出語（４７ａ）と、見出語（４７ａ）の英訳及びその日本語での解説を含む説明情報（４９ｂ）と、が対応付けて格納されている。
【００５７】
ジャンプ先候補辞書テーブル５１は、ジャンプ先候補辞書を決定するための情報であり、図９にそのデータ構成の一例を示す。
図９は、ジャンプ先候補辞書テーブル５１のデータ構成の一例を示す図である。同図によれば、ジャンプ先候補辞書テーブル５１には、文字種別（５１ａ）と、ジャンプ先候補辞書（５１ｂ）と、が対応付けて格納されている。ここで、ジャンプ先候補辞書（５１ｂ）には、対応する文字種別（５１ａ）の文字を、そのままで、或いは文字種別を変換する（例えば、仮名読みの文字にする等）ことで、検索語として検索可能な辞書の種類が設定される。
【００５８】
例えば、文字種別“ひらがな”及び“カタカナ”には、国語辞書、百科事典、和英辞書、カタカナ語辞書及びＩＴ用語事典の５つの辞書がジャンプ先候補辞書として対応付けられており、文字種別“漢字”には、国語辞書、百科事典、漢和辞書、和英辞書、カタカナ語辞書及びＩＴ用語事典の６つの辞書がジャンプ先候補辞書として対応付けられており、また、文字種別“アルファベット”には、第１英和辞書、第２英和辞書、英語類語辞書、英英辞書、カタカナ語辞書及びＩＴ用語事典の６つの辞書がジャンプ先候補辞書として対応付けられている。
【００５９】
ＣＰＵ１０は、このジャンプ先候補辞書テーブル５１において検索対象文字の文字種別に対応付けられている辞書を、ジャンプ先候補辞書として決定する。
【００６０】
推奨ジャンプ先辞書テーブル５２及び選択見出語用辞書テーブル５３は、何れも、仮設定ジャンプ先辞書を決定するための情報である。特に、選択見出語用辞書テーブル５３は、検索対象文字が選択見出語である場合（詳細には、選択見出語そのものである場合、或いは選択見出語の先頭文字を含む場合である。）に参照されるテーブルであり、図１０にそのデータ構成の一例を示す。また、推奨ジャンプ先辞書テーブル５２は、これ以外の（即ち、検索対象文字が選択見出語でない）場合に参照されるテーブルであり、図１１に、そのデータ構成の一例を示す。
【００６１】
図１０は、選択見出語用辞書テーブル５３のデータ構成の一例を示す図である。同図によれば、選択見出語用辞書テーブル５３には、指定辞書（５３ａ）と、推奨ジャンプ先辞書（５３ｂ）と、が対応付けて格納されている。
【００６２】
例えば、指定辞書“国語辞書”には、百科事典が推奨ジャンプ先辞書として対応付けられており、指定辞書“第１英和辞書”には、第２英和辞書が推奨ジャンプ先辞書として対応付けられており、指定辞書“第２英和辞書”には、第１英和辞書が推奨ジャンプ先辞書として対応付けられており、また、指定辞書“百科事典”には、国語辞書が推奨ジャンプ先辞書として対応付けられている。
【００６３】
ＣＰＵ１０は、検索対象文字が選択見出語である場合に、この選択見出語用辞書テーブル５３において指定辞書に対応付けられている推奨ジャンプ先辞書を、仮設定ジャンプ先辞書として決定する。
【００６４】
図１１は、推奨ジャンプ先辞書テーブル５２のデータ構成の一例を示す図である。同図によれば、推奨ジャンプ先辞書テーブル５２は、指定辞書の種類（５２ａ）毎に用意される。そして、各推奨ジャンプ先辞書テーブル５２には、文字種別（５２ｂ）と、推奨ジャンプ先辞書（５２ｃ）と、が対応付けて格納されている。
【００６５】
例えば、同図（ａ）は、国語辞書についての推奨ジャンプ先辞書テーブル５２である。これによれば、文字種別“ひらがな”及び“カタカナ”には、国語辞書が推奨ジャンプ先辞書として対応付けられており、文字種別“漢字”には、国語辞書が推奨ジャンプ先辞書として対応付けられており、また、文字種別“アルファベット”には、第１英和辞書が推奨ジャンプ先辞書として対応付けられている。
【００６６】
また、同図（ｂ）は、第１英和辞書についての推奨ジャンプ先辞書テーブル５２である。これによれば、文字種別“ひらがな”及び“カタカナ”には、国語辞書が推奨ジャンプ先辞書として対応付けられており、文字種別“漢字”には、国語辞書が推奨ジャンプ先辞書として対応付けられており、また、文字種別“アルファベット”には、第１英和辞書が推奨ジャンプ先辞書として対応付けられている。
【００６７】
また、同図（ｃ）は、“第２英和辞書“についての推奨ジャンプ先辞書テーブル５２である。これによれば、文字種別“ひらがな”及び“カタカナ”には、国語辞書が推奨ジャンプ先辞書として対応付けられており、文字種別“漢字”には、国語辞書が推奨ジャンプ先辞書として対応付けられており、また、文字種別“アルファベット”には、第２英和辞書が推奨ジャンプ先辞書として対応付けられている。
【００６８】
ＣＰＵ１０は、検索対象文字が選択見出語でない場合に、指定辞書についての推奨ジャンプ先辞書テーブル５２において、検索対象文字の文字種別に対応付けられている推奨ジャンプ先辞書を、仮設定ジャンプ先辞書として決定する。
【００６９】
辞書検索プログラム５４は、ＣＰＵ１０が後述する辞書検索処理（図１３、図１４参照）を実行するためのプログラムであり、所定のタイミングでＣＰＵ１０がこの辞書検索プログラム５４をＲＯＭ４０から読み出して実行することで、辞書検索処理が実現される。
【００７０】
ＲＡＭ６０は、ＣＰＵ１０が実行する各種処理プログラムや、これらのプログラムの実行に係るデータ等を一時的に保持する格納領域（メモリ）を備える。特に、本実施の形態においては、指定辞書の種類を保持する指定辞書格納領域６１、ユーザによって選択された見出語（以下、適宜「選択見出語」と称する。）を保持する選択見出語格納領域６２、検索対象文字を保持する検索対象文字格納領域６３、ジャンプ先候補辞書の種類を保持するジャンプ先候補辞書格納領域６４、仮設定ジャンプ先辞書の種類を保持する仮設定ジャンプ先辞書格納領域６５、ジャンプ履歴テーブル７０を保持するジャンプ履歴格納領域６６、を備えている。
【００７１】
ジャンプ履歴テーブル７０は、何れも、ジャンプの実行による履歴の情報であり、図１２にそのデータ構成の一例を示す。
図１２（ａ）〜（ｃ）は、ジャンプ履歴テーブル７０のデータ構成の一例を示す図である。同図によれば、ジャンプ履歴テーブル７０には、文字種別（７０ａ）と、前回ジャンプ先辞書（７０ｂ）と、が対応付けて格納される。
【００７２】
このジャンプ履歴テーブル７０は、ジャンプが実行される毎に、ジャンプした辞書の種類が、検索対象文字の文字種別に対応する前回ジャンプ先辞書として格納されて、更新される。尚、図中の記号「＊」は、データ無し（前回ジャンプ先辞書無し）を表している。
【００７３】
［動作］
次に、動作を説明する。
図１３、図１４は、本実施の形態における辞書検索処理に係る携帯型電子辞書１の動作を説明するためのフローチャートである。この辞書検索処理は、携帯型電子辞書１の電源がＯＮにされて、ＣＰＵ１０がＲＯＭ４０の辞書検索プログラム５４を読み出して実行することで実現される処理である。
【００７４】
図１３によれば、ＣＰＵ１０は、先ず初期設定として、ジャンプ履歴テーブル７０をクリアする（ステップＳ１１）。
【００７５】
そして、ユーザによって辞書の種類が指定されると（ステップＳ１２）、ＣＰＵ１０は、指定辞書についての検索語用の入力文字を入力するための文字入力画面を表示部３０に表示させる。この文字入力画面において、ユーザは、文字キー５ａを操作して入力文字を入力する。
【００７６】
入力文字が入力されると、ＣＰＵ１０は、指定辞書の辞書ＤＢから、入力された入力文字に適合する見出語の候補を検索して一覧表示させる。そして、これらの内からユーザによって選択された見出語（選択見出語）に対応する説明情報を指定辞書の辞書ＤＢから読み出し、読み出した説明情報及び選択見出語を含む情報を表示した検索結果画面を、表示部３０に表示させる（ステップＳ１３）。
【００７７】
次いで、検索結果画面においてジャンプキー５ｄが操作されると（ステップＳ１４：ＹＥＳ）、ＣＰＵ１０は、画面上の選択見出語の先頭文字の位置に、検索対象文字を指定するためのカーソル１５０を表示させる（ステップＳ１５）。
【００７８】
続いて、ＣＰＵ１０は、カーソルが指す文字（検索対象文字）の文字種別を判断する（ステップＳ１６）。そして、ジャンプ先候補辞書テーブル５１を参照して、ジャンプ先候補辞書を決定する。具体的には、ジャンプ先候補辞書テーブル５１において、検索対象文字の文字種別に対応付けられている辞書を、ジャンプ先候補辞書として決定する（ステップＳ１７）。
【００７９】
その後、ＣＰＵ１０は、ジャンプ履歴テーブル７０を参照して、前回ジャンプ先辞書の有無を判断する。具体的には、ジャンプ履歴テーブル７０において、検索対象文字の文字種別に対応付けて格納されている前回ジャンプ先辞書の有無を判断する（ステップＳ１８）。
【００８０】
その結果、前回ジャンプ先辞書が有ると判断した場合には（ステップＳ１８：ＹＥＳ）、ＣＰＵ１０は、検索対象文字の文字種別に対応する前回ジャンプ先辞書を、ジャンプ先辞書として仮設定する（ステップＳ１９）。一方、前回ジャンプ先辞書が無いと判断した場合には（ステップＳ１８：ＮＯ）、続いて、検索対象文字が選択見出語であるか否かを判断する（ステップＳ２０）。
【００８１】
その結果、検索対象文字が選択見出語であると判断した場合には（ステップＳ２０：ＹＥＳ）、ＣＰＵ１０は、選択見出語用辞書テーブル５３を参照して、仮設定ジャンプ先辞書を決定する。具体的には、選択見出語用辞書テーブル５３において、検索対象文字の文字種別に対応付けられている推奨ジャンプ先辞書を、ジャンプ先辞書として仮設定する。（ステップＳ２１）
【００８２】
一方、検索対象文字が選択見出語でないと判断した場合には（ステップＳ２０：ＮＯ）、ＣＰＵ１０は、推奨ジャンプ先辞書テーブル５２を参照して、仮設定ジャンプ先辞書を決定する。具体的には、指定辞書に該当する推奨ジャンプ先辞書テーブル５２において、検索対象文字の文字種別に対応付けられている推奨ジャンプ先辞書を、ジャンプ先辞書として仮設定する（ステップＳ２２）。
【００８３】
このように、ジャンプ先候補辞書及び仮設定ジャンプ先辞書を決定すると、ＣＰＵ１０は、ジャンプ先候補辞書及び仮設定ジャンプ先辞書に基づくジャンプ先候補辞書一覧１７０を、検索結果画面の所定位置に表示させる（ステップＳ２３）。このとき、図２を参照して説明したように、ジャンプ先候補辞書の種類を、辞書キー６ａ〜６ｅの配置位置に則した位置に表示するとともに、仮設定ジャンプ先辞書の種類を、網掛け表示する。
【００８４】
そして、ジャンプ先候補辞書一覧１７０を表示させた検索結果画面においてカーソルキー５ｂが操作されると（ステップＳ２４：ＹＥＳ）、ＣＰＵ１０は、このカーソルキー５ｂの操作に応じてカーソル１５０の表示位置を変更した後（ステップＳ２５）、ステップＳ１６に移行し、再度、同様の処理を実行する。
【００８５】
また、ジャンプ先候補辞書一覧１７０を表示させた検索結果画面において決定キー５ｃが操作された場合には（ステップＳ２４：ＮＯ〜Ｓ２６：ＹＥＳ）、ＣＰＵ１０は、仮設定ジャンプ先辞書を、検索対象文字の文字種別に対応する前回ジャンプ先辞書としてジャンプ履歴テーブル７０に格納する（ステップＳ２７）。
【００８６】
そして、仮設定ジャンプ先辞書にジャンプして、検索対象文字を検索語とした検索を実行する。即ち、仮設定ジャンプ先辞書の辞書ＤＢから、検索対象文字に適合する見出語の候補を検索して一覧表示させ、これらの見出語の候補の内からユーザによって選択された見出語に対応する説明情報を仮設定ジャンプ先辞書の辞書ＤＢから読み出して、選択された見出語とともに表示させる（ステップＳ２８）。
【００８７】
また、ジャンプ先候補辞書一覧１７０を表示させた検索結果画面において辞書キー６が操作された場合には（ステップＳ２６：ＮＯ〜Ｓ２９：ＹＥＳ）、ＣＰＵ１０は、この辞書キー６の操作によって指定された辞書を、検索対象文字の文字種別に対応する前回ジャンプ先辞書として、ジャンプ履歴テーブル７０に格納する（ステップＳ３０）。
【００８８】
そして、指定された辞書にジャンプして、検索対象文字を検索語とした検索を実行する。即ち、指定された辞書の辞書ＤＢから、検索対象文字に適合する見出語の候補を検索して一覧表示させ、これらの見出語の候補の内からユーザによって選択された見出語に対応する説明情報を指定された辞書の辞書ＤＢから読み出して、選択された見出語とともに表示させる（ステップＳ３１）。
【００８９】
その後、本処理の終了が指示されなければ（ステップＳ３２：ＮＯ）、ＣＰＵ１０は、ステップＳ１２に移行し、同様の処理を実行する。そして、本処理の終了が指示されると（ステップＳ３２：ＹＥＳ）、本辞書検索処理を終了する。
【００９０】
このように構成される携帯型電子辞書１における３つの操作例を、以下、順に説明する。
【００９１】
（第１操作例）
先ず、第１操作例を、図１５、図１６を用いて説明する。
図１５、図１６は、第１操作例において表示部３０に表示される表示画面の遷移例を示す図である。
【００９２】
第１操作例では、先ず、国語辞書を指定し（ステップＳ１２）、入力文字を入力すると、この入力文字に適合する見出語の候補が一覧表示されるので、これらの内から見出語「ぜい［税］」を選択すると、この見出語「ぜい［税］」についての検索結果画面が、図１５（ａ）に示すように表示される（ステップＳ１３）。
【００９３】
図１５（ａ）によれば、検索結果画面には、選択見出語である見出語１１０ａと、国語辞書ＤＢ４１から読み出された見出語１１０ａに対応する説明情報１３０ａと、が表示されている。
【００９４】
そして、この表示画面においてジャンプキー５ｄを操作すると（ステップＳ１４：ＹＥＳ）、カーソル１５０及びジャンプ先候補辞書一覧１７０が表示された検索結果画面が、図１５（ｂ）に示すように表示される（ステップＳ１５〜Ｓ１８：ＮＯ〜Ｓ２０：ＹＥＳ〜Ｓ２３）。
【００９５】
図１５（ｂ）によれば、見出語１１０ａの先頭文字「ぜ」にカーソル１５０ａが表示されているとともに、画面下部には、ジャンプ先候補辞書一覧１７０ａが表示されている。ジャンプ先候補辞書一覧１７０ａには、ジャンプ先候補辞書として、「国語辞書」、「百科事典」、「和英辞書」、「カタカナ語辞書」及び「ＩＴ用語事典」の５つの辞書の種類が表示されているとともに、これらの内、仮設定ジャンプ先辞書として、「百科事典」が網掛け表示されている。
【００９６】
そして、この表示画面においてカーソルキー５ｂを操作すると（ステップＳ２４：ＹＥＳ）、このカーソルキー５ｂの操作に応じてカーソル１５０ａの表示位置が移動された検索結果画面が、図１５（ｃ）に示すように表示される（ステップＳ２５）。
【００９７】
図１５（ｃ）によれば、説明情報１３０ａ中の文字「所」の位置までカーソル１５０ａが移動されて表示されているとともに、画面下部には、ジャンプ先候補辞書一覧１７０ｂが表示されている。ジャンプ先候補辞書一覧１７０ｂには、ジャンプ先候補辞書として、「国語辞書」、「百科事典」、「漢和辞書」、「和英辞書」、「カタカナ語辞書」及び「ＩＴ用語事典」の６つの辞書の種類が表示されているとともに、これらの内、仮設定ジャンプ先辞書として、「国語辞書」が網掛け表示されている。
【００９８】
また、図１５（ｂ）に示す表示画面において決定キー５ｃを操作すると（ステップＳ２４：ＮＯ〜Ｓ２６：ＹＥＳ）、仮設定ジャンプ先辞書である百科事典にジャンプし、カーソル１５０ａが指す文字「ぜ」を検索語とした検索が実行されて、一覧表示された見出語の候補の内から選択した見出語「ぜい［税］」についての検索結果画面が、図１６（ａ）に示すように表示される（ステップＳ２７〜Ｓ２８）。
【００９９】
図１６（ａ）によれば、検索結果画面には、選択した見出語１１０ｂと、百科事典ＤＢ４２から読み出された見出語１１０ｂに対応する説明情報１３０ｂと、が表示されている。
【０１００】
また、図１５（ｃ）に示す表示画面において、辞書キー６を操作して和英辞書を指定すると（ステップＳ２６：ＮＯ〜Ｓ２９：ＹＥＳ）、この指定した和英辞書にジャンプし、カーソル１５０ａが指す文字「所」を検索語とした検索が実行され、一覧表示された見出語の候補の内から選択した見出語「しょとく［所得］」についての検索結果画面が、図１６（ｂ）に示す表示画面が表示される（ステップＳ３０〜Ｓ３１）。
【０１０１】
図１６（ｂ）によれば、検索結果画面には、選択した見出語１１０ｃと、和英辞書ＤＢ４７から読み出された見出語１１０ｃに対応する説明情報１３０ｃと、が表示されている。
【０１０２】
従って、この時点で、ジャンプ履歴テーブル７０は、図１２（ａ）に示すように設定されている。即ち、前回ジャンプ先辞書として、文字種別“ひらがな”及び“カタカナ”については百科事典が格納され、文字種別“漢字”については和英辞書が格納されている。
【０１０３】
続いて、国語辞書を指定し（ステップＳ１１）、一覧表示される見出語の候補の内から見出語「げきしょう−かんえん［劇症肝炎］」を選択する。そして、ジャンプキー５ｄを操作した後（ステップＳ１４：ＹＥＳ）、カーソルキー５ｂを操作すると（ステップＳ２４：ＹＥＳ）、カーソル１５０及びジャンプ先候補辞書一覧１７０が表示された、見出語「げきしょう−かんえん［劇症肝炎］」についての検索結果画面が、図１６（ｃ）に示すように表示される（ステップＳ１５〜Ｓ１８：ＮＯ〜Ｓ２３）。
【０１０４】
図１６（ｃ）によれば、検索結果画面には、選択した見出語１１０ｄと、国語辞書ＤＢ４１から読み出された見出語１１０ｄに対応する説明情報１３０ｄと、が表示されている。また、見出語１１０ｂ中の文字「肝」の位置にカーソル１５０ｂが表示されているとともに、画面下部には、ジャンプ先候補辞書一覧１７０ｃが表示されている。
【０１０５】
ジャンプ先候補辞書一覧１７０には、ジャンプ先候補辞書として、「国語辞書」、「百科事典」、「漢和辞書」、「和英辞書」、「カタカナ語辞書」及び「ＩＴ用語事典」の６つの辞書の種類が表示されているとともに、これらの内、図１６（ｃ）に示したように、前回ジャンプした辞書である「和英辞書」が、仮設定ジャンプ先辞書として網掛け表示されている。
第１操作例は、このように実施される。
【０１０６】
（第２操作例）
次に、図１７、図１８を用いて、第２操作例を説明する。
図１７、図１８は、第２操作例において表示部３０に表示される表示画面の遷移例を示す図である。
【０１０７】
第２操作例では、先ず、国語辞書を指定し（ステップＳ１２）、入力文字を入力すると、この入力文字に適合する見出語の候補が一覧表示されるので、これらの内から見出語「ラム［ＲＡＭ］」を選択すると、この見出語「ラム［ＲＡＭ］」についての検索結果画面が、図１７（ａ）に示すように表示される（ステップＳ１３）。
【０１０８】
図１７（ａ）によれば、検索結果画面には、選択見出語である見出語１１０ｅと、国語辞書ＤＢ４１から読み出された見出語１１０ｅに対応する説明情報１３０ｅと、が表示されている。
【０１０９】
そして、この表示画面においてジャンプキー５ｄを操作すると（ステップＳ１４：ＹＥＳ）、カーソル１５０及びジャンプ先候補辞書一覧１７０が表示された検索結果画面が、図１７（ｂ）に示すように表示される（ステップＳ１５〜Ｓ１８：ＮＯ〜Ｓ２０：ＹＥＳ〜Ｓ２３）。
【０１１０】
図１７（ｂ）によれば、見出語１１０の先頭文字「ラ」の位置にカーソル１５０ｃが表示されているとともに、画面下部には、ジャンプ先候補辞書一覧１７０ｄが表示されている。ジャンプ先候補辞書一覧１７０ｄには、ジャンプ先候補辞書として、「国語辞書」、「百科事典」、「和英辞書」、「カタカナ語辞書」及び「ＩＴ用語事典」の５つの辞書の種類が表示されているとともに、これらの内、仮設定ジャンプ先辞書として、「百科事典」が網掛け表示されている。
【０１１１】
そして、この表示画面においてカーソルキー５ｂを操作すると（ステップＳ２４：ＹＥＳ）、このカーソルキー５ｂの操作に応じてカーソル１５０ｃの表示位置が移動されて、検索結果画面が、図１７（ｃ）に示すように表示される（ステップＳ２５〜Ｓ１８：ＮＯ〜Ｓ２０：ＹＥＳ〜Ｓ２３）。
【０１１２】
図１７（ｃ）によれば、見出語１１０ｅ中の文字「ＲＡＭ」の位置にカーソル１５０ｃが表示されているとともに、画面下部には、ジャンプ先候補辞書一覧１７０ｅが表示されている。ジャンプ先候補辞書一覧１７０ｅには、ジャンプ先候補辞書として、「第１英和辞書」、「第２英和辞書」、「英語類語辞書」、「英英辞書」、「カタカナ語辞書」及び「ＩＴ用語事典」の６つの辞書の種類が表示されているとともに、これらの内、仮設定ジャンプ先辞書として、「第１英和辞書」が網掛け表示されている。
【０１１３】
そして、この表示画面において決定キー５ｃを操作すると（ステップＳ２４：ＮＯ〜Ｓ２６：ＹＥＳ）、仮設定ジャンプ先辞書である第１英和辞書にジャンプし、カーソル１５０ｃが指す文字「ＲＡＭ」を検索語とした検索が実行されて、一覧表示された見出語の候補の内から選択した見出語「ＲＡＭ」についての検索結果画面が、図１８（ａ）に示すように表示される（ステップＳ２７〜Ｓ２８）。
【０１１４】
図１８（ａ）によれば、検索結果画面には、選択した見出語１１０ｆと、第１英和辞書ＤＢ４３から読み出された見出語１１０ｆに対応する説明情報１３０ｆと、が表示されている。
【０１１５】
また、図１７（ｃ）に示す表示画面において、辞書キー６を操作してカタカナ語辞書を指定すると（ステップＳ２６：ＮＯ〜Ｓ２９：ＹＥＳ）、この指定したカタカナ語辞書にジャンプし、カーソル１５０ｃが指す文字「ＲＡＭ」を検索語とした検索が実行されて、一覧表示された見出後の候補の内から選択した見出語「ＲＡＭ」についての検索結果画面が、図１８（ｂ）に示すように表示される（ステップＳ３０〜Ｓ３１）。
【０１１６】
図１８（ｂ）によれば、検索結果画面には、選択した見出語１１０ｇと、カタカナ語辞書ＤＢ４９から読み出された見出語１１０ｇに対応する説明情報１３０ｇと、が表示されている。
【０１１７】
従って、この時点で、ジャンプ履歴テーブル７０は、図１２（ｂ）に示すように設定されている。即ち、前回ジャンプ先辞書として、文字種別“アルファベット”についてカタカナ語辞書が格納されている。
【０１１８】
続いて、国語辞書を指定し（ステップＳ１２）、一覧表示される見出語の候補の内から見出語「ロム［ＲＯＭ］」を選択する。そして、ジャンプキー５ｄを操作した後（ステップＳ１４：ＹＥＳ）、カーソルキー５ｂを操作すると（ステップＳ２４：ＹＥＳ）、カーソル１５０及びジャンプ先候補辞書一覧１７０が表示された、見出語「ロム［ＲＯＭ］」についての検索結果画面が、図１８（ｃ）に示すように表示される（ステップＳ２５〜Ｓ１８：ＹＥＳ〜Ｓ２３）。
【０１１９】
図１８（ｃ）によれば、検索結果画面には、選択した見出語１１０ｈと、国語辞書ＤＢ４１から読み出された見出語１１０ｈに対応する説明情報１３０ｈと、が表示されている。また、見出語１１０ｈ中の文字「ＲＯＭ」の位置にカーソル１５０ｄが表示されているとともに、画面下部には、ジャンプ先候補辞書一覧１７０ｆが表示されている。
【０１２０】
ジャンプ先候補辞書一覧１７０ｆには、ジャンプ先候補辞書として、「第１英和辞書」、「第２英和辞書」、「英語類語辞書」、「英英辞書」、「カタカナ語辞書」及び「ＩＴ用語事典」の６つの辞書の種類が表示されているとともに、これらの内、図１８（ｃ）に示したように、前回ジャンプした先の辞書である「カタカナ語辞書」が、仮設定ジャンプ先辞書として網掛け表示されている。
第２操作例は、このように実施される。
【０１２１】
（第３操作例）
次に、図１９、図２０を用いて、第３操作例を説明する。
図１９、図２０は、第３操作例において表示部３０に表示される表示画面の遷移例を示す図である。
【０１２２】
第３操作例では、先ず、第１英和辞書を指定し（ステップＳ１２）、入力文字を入力すると、この入力文字に適合する見出語の候補の一覧が表示されるので、これらの内から見出語「ｔｅａ」を選択すると、この見出語「ｔｅａ」についての検索結果画面が、図１９（ａ）に示すように表示される（ステップＳ１３）。
【０１２３】
図１９（ａ）によれば、検索結果画面には、選択見出語である見出語１１０ｉと、第１英和辞書ＤＢ４３から読み出された見出語１１０ｉに対応する説明情報１３０ｉと、が表示されている。
【０１２４】
そして、この表示画面においてジャンプキー５ｄを操作すると（ステップＳ１４：ＹＥＳ）、カーソル１５０及びジャンプ先候補辞書一覧１７０が表示された検索結果画面が、図１９（ｂ）に示すように表示される（ステップＳ１５〜Ｓ１８：ＮＯ〜Ｓ２０：ＹＥＳ〜Ｓ２３）。
【０１２５】
図１９（ｂ）によれば、見出語１１０ｉ中の文字「ｔｅａ」の位置にカーソル１５０ｅが表示されているとともに、画面下部には、ジャンプ先候補辞書一覧１７０ｇが表示されている。ジャンプ先候補辞書一覧１７０ｇには、ジャンプ先候補辞書として、「第１英和辞書」、「第２英和辞書」、「英語類語辞書」、「英英辞書」、「カタカナ語辞書」及び「ＩＴ用語事典」の６つの辞書の種類が表示されているとともに、これらの内、仮設定ジャンプ先辞書として、「第２英和辞書」が網掛け表示されている。
【０１２６】
そして、この表示画面において決定キー５ｃを操作すると（ステップＳ２４：ＮＯ〜Ｓ２６：ＹＥＳ）、仮設定ジャンプ先辞書である第２英和辞書にジャンプし、カーソル１５０ｅが指す文字「ｔｅａ」を検索語とした検索が実行されて、一覧表示された見出語の候補の内から選択した見出語「ｔｅａ」についての検索結果画面が、図１９（ｃ）に示すように表示される（ステップＳ２７〜Ｓ２８）。
【０１２７】
図１９（ｃ）によれば、検索結果画面には、選択した見出語１１０ｊと、第２英和辞書ＤＢ４４から読み出された見出語１１０ｊに対応する説明情報１３０ｊと、が表示されている。
【０１２８】
また、図１９（ｂ）に示した表示画面においてカーソルキー５ｂを操作すると（ステップＳ２４：ＹＥＳ）、このカーソルキー５ｂの操作に応じてカーソル１５０ｅの表示位置が移動されて、検索結果画面が、図１９（ｄ）に示すように表示される（ステップＳ２５〜Ｓ１８：ＮＯ〜Ｓ２０：ＹＥＳ〜Ｓ２３）。
【０１２９】
図１９（ｄ）によれば、見出語１１０ｊ中の文字「ｃｕｐ」の位置までカーソル１５０ｅが移動されて表示されているとともに、画面下部には、ジャンプ先候補辞書一覧１７０ｈが表示されている。ジャンプ先候補辞書一覧１７０ｈには、ジャンプ先候補辞書として、「第１英和辞書」、「第２英和辞書」、「英語類語辞書」、「英英辞書」、「カタカナ語辞書」及び「ＩＴ用語事典」の６つの辞書の種類が表示されているともに、これらの内、仮設定ジャンプ先辞書として「第１英和辞書」が網掛け表示されている。
【０１３０】
そして、この表示画面において、辞書キー６を操作して英語類語辞書を指定すると（ステップＳ２４：ＮＯ〜Ｓ２６：ＮＯ〜Ｓ２９：ＹＥＳ）、この指定した英語類語辞書にジャンプし、カーソル１５０ｅが指す文字「ｃｕｐ」を検索語とした検索が行われて、一覧表示された見出語の候補の一覧の内から選択した見出語「ｃｕｐ」についての検索結果画面が、図２０（ａ）に示すように表示される（ステップＳ３０〜Ｓ３１）。
【０１３１】
図２０（ａ）によれば、検索結果画面には、選択した見出語１１０ｋと、英語類語辞書ＤＢ４６から読み出された見出語１１０ｋに対応する説明情報１３０ｋと、が表示されている。
【０１３２】
従って、この時点で、ジャンプ履歴テーブル７０は、図１２（ｃ）に示すように設定されている。即ち、前回ジャンプ先辞書として、文字種別“アルファベット”について英語類語辞書が格納されている。
【０１３３】
続いて、第２英和辞書を指定し（ステップＳ１２）、一覧表示される見出語の候補の内から見出語「ｂｏｏｋ」を選択する。そして、ジャンプキー５ｄを操作した後（ステップＳ１４：ＹＥＳ）、カーソルキー５ｂを操作すると（ステップＳ２４：ＹＥＳ）、カーソル１５０及びジャンプ先候補辞書一覧１７０が表示された、見出語「ｂｏｏｋ」についての検索結果画面が、図２０（ｂ）に示すように表示される（ステップＳ２５〜Ｓ１８：ＹＥＳ〜Ｓ２３）。
【０１３４】
図２０（ｂ）によれば、検索結果画面には、選択した見出語１１０ｌと、第２英和辞書ＤＢ４４から読み出された見出語１１０ｉに対応する説明情報１３０ｌと、が表示されている。また、説明情報１３０ｌ中の文字「著」の位置にカーソル１５０ｆが表示されているとともに、画面下部には、ジャンプ先候補辞書一覧１７０ｉが表示されている。
【０１３５】
ジャンプ先候補辞書一覧１７０ｉには、ジャンプ先候補辞書として、「国語辞書」、「百科事典」、「漢和辞書」、「和英辞書」、「カタカナ語辞書」及び「ＩＴ用語事典」の５つの辞書の種類が表示されているとともに、これらの内、仮設定ジャンプ先辞書として、「国語辞書」が網掛け表示されている。
【０１３６】
そして、この表示画面において、更に、カーソルキー５ｂを操作すると（ステップＳ２４：ＹＥＳ）、このカーソルキー５ｂの操作に応じてカーソル１５０ｆの表示位置が移動されて、検索結果画面が、図２０（ｃ）に示すように表示される（ステップＳ２５〜Ｓ１８；ＹＥＳ〜Ｓ２３）。
【０１３７】
図２０（ｃ）によれば、説明情報１３０ｌ中の文字「ｖｏｌｕｍｅ」の位置にカーソル１５０ｆが表示されているとともに、画面下部には、ジャンプ先候補辞書一覧１７０ｊが表示されている。ジャンプ先候補辞書一覧１７０ｊには、ジャンプ先候補辞書として、「第１英和辞書」、「第２英和辞書」、「英語類語辞書」、「英英辞書」、「カタカナ語辞書」及び「ＩＴ用語事典」の６つの辞書の種類が表示されているとともに、これらの内、図２０（ａ）に示したように、前回ジャンプした辞書である「英語類語辞書」が、仮設定ジャンプ先辞書として網掛け表示されている。
第３操作例は、このように実施される。
【０１３８】
［作用・効果］
以上、本実施の形態によれば、見出語及び説明情報を表示させた検索結果画面において、ジャンプキー５ｄを操作すると、カーソル１５０及びジャンプ先候補辞書一覧１７０が表示される。ジャンプ先辞書一覧１７０には、ジャンプが可能な辞書の種類が表示されており、ユーザは、各辞書の種類を指定する辞書キー６ａ〜６ｅを操作することで、この辞書にジャンプして、カーソル１５０が指す文字（検索対象文字）を検索語とした検索を実行させることができる。
【０１３９】
更に、ジャンプ先候補辞書一覧１７０には、決定キー５ｃの操作によってジャンプすることができる１つの辞書について、網掛け表示されている。ユーザは、決定キー５ｃを操作することで、この網掛け表示されている辞書にジャンプして、検索対象文字を検索語とした検索を実行させることができる。
【０１４０】
従って、ユーザにとって見れば、ジャンプ先辞書候補一覧１７０を見ることで、カーソル１５０が指す文字（検索対象文字）について再検索が可能な辞書（即ち、ジャンプ可能な辞書）の種類を容易に知ることができるとともに、決定キー５ｃ又は該当する辞書キー６を操作することのみ（ワンタッチ操作）で所望の辞書にジャンプし、この検索対象文字についての再検索を、容易に実行させることができる。
【０１４１】
［変形例］
尚、本発明の適用は、上述した実施の形態に限定されることなく、本発明の趣旨を逸脱しない範囲で適宜変更可能である。
【０１４２】
（１）情報表示制御装置について
上述した実施の形態では、電子辞書を適用例として説明したが、本発明の情報表示制御装置は、このような製品に限定されるものではなく、携帯電話機、パソコン（ＰＣ：Ｐｅｒｓｏｎａｌ  Ｃｏｍｐｕｔｅｒ）、電子時計、ＰＤＡ（Ｐｅｒｓｏｎａｌ  Ｄｉｇｉｔａｌ  Ａｓｓｉｓｔａｎｔｓ）等の電子機器全般に適用可能である。
【０１４３】
（２）電子辞書システム
また、上述した実施の形態では、携帯型電子辞書１を単体で動作するいわゆるスタンドアロン型の装置として説明した。しかし、本発明が適用可能な装置はこれに限られるものではない。具体的には、通信装置を内蔵或いは接続可能に構成し、サーバと通信することによって本発明に係る装置を実現することも可能である。図面を参照して具体的に説明する。
【０１４４】
図２１は、通信装置を内蔵した電子辞書端末１０００と、サーバ２０００とが通信回線Ｎを介して通信可能に接続された電子辞書システムの概略構成を示す図である。サーバ２０００は、例えば汎用のワークステーションやサーバ用コンピュータ等によって構成されるものであり、電子辞書端末１０００は、携帯電話機や通信装置を内蔵したパソコン、通信装置を内蔵した携帯型電子辞書等により構成されるものである。通信回線Ｎは、有線／無線の電話網やインターネット網等である。
【０１４５】
図２１において、上述した実施の形態における携帯型電子辞書１の主要機能を有する機能部を太線で示した。携帯型電子辞書１のＣＰＵ１０が実行する辞書検索処理は、サーバ２０００のＣＰＵ２０１０が実行する。また、携帯型電子辞書１のＲＯＭ４０が記憶するデータ（各種辞書ＤＢやテーブル等）やプログラム（辞書検索プログラム５４）等は、サーバ２０００の、ハードディスク等から構成される記憶部２０６０が記憶する。また、辞書検索処理の実行に伴うデータは、サーバ２０００のＲＡＭ２０５０が記憶する。
【０１４６】
一方、携帯型電子辞書１の入力部２０及び表示部３０は、それぞれ、電子辞書端末１０００の入力部１０２０及び表示部１０３０に相当する。
【０１４７】
即ち、サーバ２０００がホスト（或いはサーバ）、電子辞書端末１０００が端末（或いはクライアント）に相当するホスト・端末システム（或いはサーバ・クライアントシステム）を形成する。そして、電子辞書端末１０００の入力部１０２０から入力された入力文字等が通信部１０６０を介してサーバ２０００に送信され、サーバ２０００のＣＰＵ２０１０が、記憶部２０６０に記憶された各種データ及び各種プログラムに従って辞書検索処理を実行し、処理結果を通信部２０７０を介して電子辞書端末１０００に送信して表示部１０３０に表示させる。このように、サーバ２０００及び電子辞書端末１０００から構成されるシステムで本発明を実現することも可能である。この場合、電子辞書端末１０００においては、各種辞書ＤＢやテーブル等のデータや辞書検索プログラム５４等を記憶しておく必要がなく、また、辞書検索処理等を実行する必要もない。このため、電子辞書端末１０００は、演算処理能力が比較的低いＣＰＵ１０や記憶容量等が比較的小さいＲＯＭ１０４０等を有する携帯電話機等の電子辞書端末１０００であっても良い。
【０１４８】
【発明の効果】
請求項１又は７に記載の発明によれば、指定された集合情報の見出語の内、所望の見出語及びこの見出語に対応する説明情報を含む情報を表示制御するとともに、この表示制御した情報の内から指定された検索対象文字の文字種別に応じて、検索先とする集合情報の種類を、複数の集合情報の中から択一的に選択して仮設定することができる。そして、所定のワンタッチ操作があった場合には、検索対象文字に適合する見出語及びこの見出語に対応する説明情報を、仮設定した集合情報の中から読み出して表示制御することができる。
【０１４９】
即ち、ユーザにとってみれば、表示させた情報の中から検索対象文字を指定し、所定のワンタッチ操作を行うことのみで、当該検索対象文字の文字種別に応じて自動的に仮設定された検索先の集合情報における検索が実行される。従って、ジャンプ機能の実行における操作手順が簡略化され、操作に伴う煩わしさが解消された情報表示制御装置を実現できる。
【０１５０】
また、請求項２に記載の発明によれば、表示された情報の中から検索対象文字として指定された文字が、該情報に含まれる見出語であった場合、検索先とする集合情報を、指定された集合情報以外の集合情報から仮設定することができる。従って、情報中に含まれる見出語を検索対象とした場合、指定された集合情報、即ち、当該見出語について既に検索された集合情報において再度検索を行うといった不都合を解消することができる。
【０１５１】
また、請求項３に記載の発明によれば、集合情報を指定するための複数の種類指定キーの配置位置に則して集合情報それぞれの識別情報を配列した案内表示を表示制御することができる。従って、ユーザにとっては、案内表示を見ることで、所望の集合情報の種類を指定するための種類指定キーを容易に見付け出して操作することが可能となる。
【０１５２】
また、請求項４に記載の発明によれば、検索対象文字の文字種別に適合する文字種別の見出語を含む集合情報の種類を検索先候補とし、この検索先候補に対応する識別情報を表示制御することにより、この検索先候補を特別表示することができる。従って、ユーザは、特別表示を見ることで、検索先候補である集合情報の種類を容易に知ることができる。
【０１５３】
また、請求項５に記載の発明によれば、仮設定された集合情報の識別情報を表示制御することで、これを特別表示することができる。従って、ユーザは、案内表示を見ることで、仮設定された集合情報の種類を容易に知ることができる。
【０１５４】
また、請求項６に記載の発明によれば、検索対象文字の文字種別、及び、前回情報を表示制御した際に仮設定した集合情報の種類に応じて、検索先とする集合情報を択一的に選択・仮設定することができる。
【０１５５】
更に、請求項７又は９に記載の発明によれば、利用者端末から受信した検索対象文字指定情報により指定された検索対象文字の文字種別に応じて、検索先とする集合情報の種類を、複数の集合情報の中から択一的に選択して仮設定することができる。そして、利用者端末より仮設定先検索実行情報を受信した場合には、検索対象文字に適合する見出語及びこの見出語に対応する説明情報を、仮設定した集合情報の中から読み出して利用者端末に送信することができる。
【０１５６】
即ち、利用者端末のユーザにとってみれば、検索対象文字を指定し、仮設定先検索の実行を指示することで、当該検索対象文字の文字種別に応じて自動的に仮設定された検索先の集合情報における検索が実行されて、検索対象文字に適合する見出語及びこの見出語に対応する説明情報を、サーバから受信することができる。従って、ジャンプ機能の実行における操作手順が簡略化され、操作に伴う煩わしさが解消された利用者端末を実現できる。
【図面の簡単な説明】
【図１】本発明を適用した携帯型電子辞書の外観例を示す図。
【図２】表示画面の一例を示す図
【図３】携帯型電子辞書の内部構成を示すブロック図。
【図４】国語辞書ＤＢのデータ構成例を示す図。
【図５】百科事典ＤＢのデータ構成例を示す図。
【図６】第１英和辞書ＤＢのデータ構成例を示す図。
【図７】第２英和辞書ＤＢのデータ構成例を示す図。
【図８】和英辞書ＤＢのデータ構成例を示す図。
【図９】ジャンプ先候補辞書テーブルのデータ構成例を示す図。
【図１０】推奨ジャンプ先辞書テーブルのデータ構成例を示す図。
【図１１】選択見出語用辞書テーブルのデータ構成例を示す図。
【図１２】ジャンプ履歴テーブルのデータ構成例を示す図。
【図１３】辞書検索処理に係る携帯型電子辞書の動作を説明するためのフローチャート。
【図１４】図１３に続くフローチャート。
【図１５】第１操作例における表示画面の遷移例を示す図。
【図１６】図１５に続く表示画面の遷移例を示す図。
【図１７】第２操作例における表示画面の遷移例を示す図。
【図１８】図１７に続く表示画面の遷移例を示す図。
【図１９】第３操作例における表示画面の遷移例を示す図。
【図２０】図１９に続く表示画面の遷移例を示す図。
【図２１】電子辞書システムの概略構成を示す図。
【符号の説明】
１  携帯型電子辞書
１０  ＣＰＵ
２０  入力部
３０  表示部
４０  ＲＯＭ
４１  国語辞書ＤＢ
４２  百科事典ＤＢ
４３  第１英和辞書ＤＢ
４４  第２英和辞書ＤＢ
４５  漢和辞書ＤＢ
４６  英語類語辞書ＤＢ
４７  和英辞書ＤＢ
４８  英英辞書ＤＢ
４９  カタカナ語辞書ＤＢ
５０  ＩＴ用語事典ＤＢ
５１  ジャンプ先候補辞書テーブル
５２  推奨ジャンプ先辞書テーブル
５３  選択見出語用辞書テーブル
５４  辞書検索プログラム
６０  ＲＡＭ
６１  指定辞書格納領域
６２  選択見出語格納領域
６３  検索対象文字格納領域
６４  ジャンプ先候補辞書格納領域
６５  仮設定ジャンプ先辞書格納領域
６６  ジャンプ履歴格納領域
７０  ジャンプ履歴テーブル
【図１】
2004295626.tif 000003
【図２】
2004295626.tif 000004
【図３】
2004295626.tif 000005
【図４】
2004295626.tif 000006
【図５】
2004295626.tif 000007
【図６】
2004295626.tif 000008
【図７】
2004295626.tif 000009
【図８】
2004295626.tif 000010
【図９】
2004295626.tif 000011
【図１０】
2004295626.tif 000012
【図１１】
2004295626.tif 000013
【図１２】
2004295626.tif 000014
【図１３】
2004295626.tif 000015
【図１４】
2004295626.tif 000016
【図１５】
2004295626.tif 000017
【図１６】
2004295626.tif 000018
【図１７】
2004295626.tif 000019
【図１８】
2004295626.tif 000020
【図１９】
2004295626.tif 000021
【図２０】
2004295626.tif 000022
【図２１】
2004295626.tif 000023